(57)【要約】【課題】本発明は、セルと保護回路の基板間の配線が煩雑にならないようにするとともに、ハンダ付けを不要にして導体の接続部分の信頼性を高くすることを目的とする。【解決手段】本発明に係る電源装置は、複数本のセルに充電されている電力を電動作業機に供給可能な電源装置であって、各々のセルの電圧を監視する保護回路の基板６４（６２）と、各々のセルの電極に接続されている導電性のリード板５５とを備えており、リード板５５と基板６４（６２）の導体部分６４ｄ（６２ｄ）とが機械的な連結機構６３，５４ｎにより電気的に接続されている。【選択図】図２７
2016018603.tif 000002
【特許請求の範囲】
【請求項１】
複数本のセルの電力を電動作業機に供給可能な電源装置であって、
各々のセルの電圧を監視する保護回路の基板と、
各々のセルの電極に接続されている導電性のリード板とを備えており、
前記リード板と前記基板の導体部分とが機械的な連結機構により電気的に接続されている電源装置。
【請求項２】
請求項１に記載された電源装置であって、
前記基板は、所定サイズの本体基板と、その本体基板よりも小さい補助基板とから構成されており、
前記リード板を介して前記補助基板に入力された前記セルの電圧信号は、その補助基板と前記本体基板との接続部を介してその本体基板に入力される電源装置。
【請求項３】
請求項２に記載された電源装置であって、
少なくとも一つのセルの一方の電極の電圧信号は、前記補助基板を介して前記本体基板に入力され、前記セルの他方の電極の電圧信号は、前記リード板を介して前記本体基板に入力される電源装置。
【請求項４】
請求項２又は請求項３に記載された電源装置であって、
前記補助基板と前記本体基板との接続部は、コネクタである電源装置。
【請求項５】
請求項２から請求項４に記載された電源装置であって、
前記リード板と前記補助基板との連結箇所に対して、前記補助基板と前記本体基板との接続部の箇所が少ない電源装置。
【請求項６】
請求項２から請求項５に記載された電源装置であって、
前記本体基板と補助基板とは、平行な状態で重ねられていることを特徴とする電源装置。
【請求項７】
請求項２から請求項６に記載された電源装置であって、
複数本のセルを収納するセルホルダを複数セット備えており、
前記セルホルダとセルホルダとの合わせ位置上に前記補助基板が配置されていることを特徴とする電源装置。
【発明の詳細な説明】
【技術分野】
【０００１】
本発明は、複数本のセルの電力を電動作業機に供給可能な電源装置に関する。
【背景技術】
【０００２】
セルに充電された電力を剪定バサミや生垣バリカン等の電動作業機に供給する電源装置が特許文献１に記載されている。特許文献１の電源装置は、図３１に示すように、背負い式の布製の電源バック１００と、その電源バック１００に収納されるバッテリパック１０２とを備えている。バッテリパック１０２には、複数本のセルと、各々のセルの電圧を監視する保護回路の基板とが収納されている。一般的に、前記セルの電極には端子板が溶接等により接続されており、前記端子板と基板の導体部分とがリード線により電気的に接続されている。これにより、各々のセルの電圧信号が保護回路に入力されるようになる。
【先行技術文献】
【特許文献】
【０００３】
【特許文献１】特開２０１１−２１６３０４号公報
【発明の概要】
【発明が解決しようとする課題】
【０００４】
しかし、前記端子板と基板の導体部分との間をリード線によりつなぐ構成では、セルの本数が多い電源装置の場合、リード線の本数が多くなる。このため、セルと保護回路の基板間の配線が煩雑になる。さらに、リード線と端子板間、及びリード線と基板の導体部分との接続が一般的にハンダ付けとなるため、導体の接続部分の信頼性がさほど高くない。
【０００５】
本発明は、上記問題点を解決するためになされたものであり、本発明が解決しようとする課題は、セルと保護回路の基板間の配線が煩雑にならないようにするとともに、ハンダ付けを不要にして導体の接続部分の信頼性を高くすることである。
【課題を解決するための手段】
【０００６】
上記した課題は、各請求項の発明によって解決される。
請求項１の発明は、複数本のセルの電力を電動作業機に供給可能な電源装置であって、各々のセルの電圧を監視する保護回路の基板と、各々のセルの電極に接続されている導電性のリード板とを備えており、前記リード板と前記基板の導体部分とが機械的な連結機構により電気的に接続されていることを特徴とする。
【０００７】
本発明によると、各々のセルの電極に接続されるリード板と基板の導体部分とが機械的な連結機構により電気的に接続されている。即ち、セルの電極に接続されるリード板と基板の導体部分とを直接的につなぐ構成であるため、前記リード板と基板の導体部分とを電線（リード線）でつなぐ場合のように配線が煩雑にならない。また、ハンダ付けが不要になるため、導体の接続部分の信頼性が高くなる。
【０００８】
請求項２の発明によると、基板は、所定サイズの本体基板と、その本体基板よりも小さい補助基板とから構成されており、前記リード板を介して前記補助基板に入力された前記セルの電圧信号は、その補助基板と前記本体基板との接続部を介してその本体基板に入力される。このように、全てのリード板を直接的に本体基板に接続しなくても良くなるため、本体基板の回路設計が簡単になる。
【０００９】
請求項３の発明によると、少なくとも一つのセルの一方の電極の電圧信号は、前記補助基板を介して前記本体基板に入力され、前記セルの他方の電極の電圧信号は、前記リード板を介して前記本体基板に入力される。
【００１０】
請求項４の発明によると、補助基板と本体基板との接続部は、コネクタである。これにより、補助基板と本体基板との機械的な連結と電気的な接続とを兼用できる。
【００１１】
請求項５の発明によると、リード板と前記補助基板との連結箇所に対して、前記補助基板と前記本体基板との接続部の箇所が少ない。
【００１２】
請求項６の発明によると、本体基板と補助基板とは、平行な状態で重ねられていることを特徴とする。
【００１３】
請求項７の発明によると、複数本のセルを収納するセルホルダを複数セット備えており、前記セルホルダとセルホルダとの合わせ位置上に前記補助基板が配置されていることを特徴とする。このため、セルの電極が集中する部分に補助基板を配置できるようになり、補助基板のサイズを小型化できる。
【発明の効果】
【００１４】
本発明によると、セルと保護回路の基板間の配線が煩雑にならない。また、ハンダ付けが不要になるため、導体の接続部分の信頼性を高くなる。
【図面の簡単な説明】
【００１５】
【図１】本発明の実施形態１に係る電源装置の全体斜視図である。
【図２】前記電源装置の電気回路を表す概略図である。
【図３】前記電源装置の装置本体部とアダプタ等とを表す斜視図である。
【図４】前記装置本体部の側面図である。
【図５】前記装置本体部の外ケース蓋を外した状態を表す斜視図である。
【図６】前記装置本体部の分解斜視図である。
【図７】前記装置本体部の脚部を表す斜視図である。
【図８】図７のVIII-VIII矢視断面図である。
【図９】図７のIX-IX矢視断面図である。
【図１０】前記装置本体部のスタビライザーフックが掛かる部分の斜視図である。
【図１１】前記装置本体部のスタビライザーフックが掛かる受け棒の斜視図である。
【図１２】前記装置本体部の分解縦断面図（図６のXII-XII矢視断面図）である。
【図１３】前記装置本体部の縦断面図である。
【図１４】図１３のXIV拡大図である。
【図１５】前記装置本体部の外ケース蓋、内ケース蓋を内側から見た平面図である。
【図１６】前記内ケース蓋に取付けられる残容量表示レンズと押ボタンとを表す斜視図である。
【図１７】前記内ケース蓋に内ケース本体部がネジ止めされた状態で、外ケース蓋の内側を見た斜視図である。
【図１８】前記外ケース本体部と内ケース本体部とのネジ止め構造等を表す斜視図である。
【図１９】前記外ケース本体部と外ケース蓋とのネジ止め構造を表す斜視図である。
【図２０】メインスイッチの取付け構造を表す縦断面図である。
【図２１】コネクタの取付け構造を表す縦断面図である。
【図２２】防水クランプを表す縦断面図である。
【図２３】セルの電気的な接続と平面配置とを表す模式図である。
【図２４】セルホルダの分解斜視図である。
【図２５】セルホルダの分解斜視図である。
【図２６】前記外ケース本体部に収納された内ケース本体部と、その内ケース本体部に収納されたセルホルダ、及び補助基板の配置を表す斜視図である。
【図２７】セルホルダのリード板と補助基板、本体基板との連結構造を表す詳細図である。
【図２８】セルホルダと内ケース本体部（セル収納部）の内側壁との嵌合状態を表す側面図である。
【図２９】前記外ケース本体部に収納された内ケース本体部と、その内ケース本体部のセル収納部に収納された本体基板を表す斜視図である。
【図３０】セルホルダ、補助基板、及び本体基板等との関係を表す斜視断面図である。
【図３１】従来の電源装置を表す側面図である。
【発明を実施するための形態】
【００１６】
［実施形態１］
以下、図１から図３０に基づいて、本発明の実施形態１に係る電源装置１０の説明を行う。本実施形態に係る電源装置１０は、セルの電力を電動作業機である電動ブロア３に供給する装置であり、作業者が背負って持ち運べるように構成されている。
ここで、図中に示す前後左右、及び上下は、電源装置１０の装置本体部２０を起立させた状態（背負った状態）における前後左右、及び上下に対応している。
【００１７】
＜電源装置１０の概要について＞
電源装置１０は、図１に示すように、装置本体部２０と、その装置本体部２０を背負うための肩ベルト１２、腰ベルト１３、及び背面プレート部１４からなるハーネス１１と、装置本体部２０の出力ケーブル２１を電動ブロア３に接続するためのアダプタ１６とから構成されている。装置本体部２０は、その装置本体部２０の前面側がハーネス１１の背面プレート部１４にネジ止め可能に構成されている。アダプタ１６は、電動ブロア３のバッテリ接続部３ｂにスライド接続可能なように、電動ブロア３用のバッテリパック（図示省略）と等しい形状、及び等しい端子構造で製作されている。また、アダプタ１６には、装置本体部２０の出力ケーブル２１のコネクタ２１ｃと接続可能なコネクタ１６ｃを備えるリードケーブル１６ｒが設けられている。
【００１８】
＜装置本体部２０の電気回路の概要について＞
装置本体部２０の電気回路は、図２に示すように、並列に接続された二組のセル接続回路５０と保護回路６０等とを備えている。一組のセル接続回路５０は、並列に接続された３本のセル５２からなるセル集合体５２０を直列に１０セット接続することにより構成されている。即ち、一組のセル接続回路５０は、３本×１０セット＝３０本のセル５２から構成されている。保護回路６０は、セル接続回路５０の各セル５２の電圧信号、及び温度信号を制御マイコン７０に送信するとともに、制御マイコン７０からの出力信号に基づいてセル５２の放電を制御する。二組のセル接続回路５０は、図２に示すように、電源線２１ｐ，２１ｎに接続されており、それらの電源線２１ｐ，２１ｎが雑音防止用のフェライトコア２１ｆに通された後、出力ケーブル２１に接続されている。ここで、前記フェライトコア２１ｆは、図５等に示すように、後記する内ケース４０のケース本体部４５における左右の下端部の収納スペースに設けられている。また、二組のセル接続回路５０は電源線２１ｐ，２１ｎを介して充電回路８０に接続されている。充電回路８０は、外部電源（図示省略）と接続可能に構成されたコネクタ８２を備えている。
【００１９】
制御マイコン７０は、各セル５２の電圧信号、及び温度信号に基づいて、保護回路６０、及び充電回路８０に対してセル５２の放電、あるいは充電を制御する信号を出力できるように構成されている。制御マイコン７０には、図２に示すように、メインスイッチ７２と残容量表示スイッチ７４とが接続されている。メインスイッチ７２がオンされると、制御マイコン７０は保護回路６０に対して放電許可信号を出力する。これにより、保護回路６０は放電許可信号を受けてＦＥＴ６２ｐをオンする。この結果、セル５２の放電が可能になる。また、メインスイッチ７２がオフされると、制御マイコン７０は保護回路６０に対して放電禁止信号を出力し、保護回路６０はＦＥＴ６２ｐをオフしてセル５２の放電を禁止する。残容量表示スイッチ７４が押ボタン７４ｈを介してオンされると、制御マイコン７０はＬＥＤ表示部７６に対して信号を出力する。これにより、ＬＥＤ表示部７６はＬＥＤによりセル５２の残容量を表示する。
【００２０】
＜装置本体部２０の外ケース３０について＞
装置本体部２０は、二組のセル接続回路５０及び保護回路６０と充電回路８０と制御マイコン７０等とを収納する樹脂製の内ケース４０と、その内ケース４０を収納する樹脂製の外ケース３０とを備えている。外ケース３０は、図３、図４等に示すように、前後方向を厚み方向、左右方向を幅方向、及び上下方向を縦方向とした略直方体の箱状に形成されており、厚み寸法よりも幅寸法が大きく、幅寸法よりも縦寸法が大きく設定されている。外ケース３０の上部の左右両側には、上方に張出す張出し部３０ｓが形成されており、左右の張出し部３０ｓの間に軸状のグリップ部３０ｔが渡されている。このため、グリップ部３０ｔを握って外ケース３０を持つことも可能になる。また、外ケース３０の下部の左右両側には、下方に張出してその外ケース３０を起立保持可能に構成された脚部３０ｋが設けられている。
【００２１】
外ケース３０は、図５、図６等に示すように、外ケース本体部３５と外ケース蓋３１とを備えている。外ケース本体部３５は後方（図５の紙面視上方）に向けて開放された角形の開放容器状に形成されており、外ケース蓋３１は前方（図５の紙面視下方）に向けて開放された角形の開放容器状に形成されている。そして、外ケース本体部３５と外ケース蓋３１とが前後から相互に合わせられるように構成されている。そして、外ケース本体部３５と外ケース蓋３１との合わせ位置３５ａ，３１ａには、図５〜図７等に示すように、左右の脚部３０ｋの間にスイッチ用開口３５ｓ，３１ｓとコネクタ用開口３５ｃ，３１ｃとが間隔をおいて形成されている。即ち、スイッチ用開口３５ｓ，３１ｓとコネクタ用開口３５ｃ，３１ｃとは、脚部３０ｋの接地面３０ｚより高い位置に形成されている。スイッチ用開口３５ｓ，３１ｓは、メインスイッチ７２（図２参照）の操作部を通すための開口であり、外ケース本体部３５側の半円開口部３５ｓと外ケース蓋３１側の半円開口部３１ｓとが合わせられることにより構成される。コネクタ用開口３５ｃ，３１ｃは、充電回路８０のコネクタ８２を通すための開口であり、外ケース本体部３５側の半円開口部３５ｃと外ケース蓋３１側の半円開口部３１ｃとが合わせられることにより構成される。
【００２２】
外ケース３０の脚部３０ｋは、図７等に示すように、外ケース本体部３５のケース側脚部３５ｋと外ケース蓋３１の蓋側脚部３１ｋとが合わせ位置３５ａ，３１ａで合わせられることにより構成されている。そして、ケース側脚部３５ｋと蓋側脚部３１ｋとの合わせ位置３５ａ，３１ａであって脚部３０ｋの接地面３０ｚには、図９に示すように、外ケース３０の外部と内部とを連通させる排水穴３２が形成されている。なお、脚部３０ｋの接地面３０ｚ以外では、外ケース本体部３５と外ケース蓋３１との合わせ位置３５ａ，３１ａは、図８に示すように、水が入り難いように嵌め合わされている。排水穴３２は、図９に示すように、ケース内側開口３２ｎと、ケース外側開口３２ｅと、両開口３２ｎ，３２ｅをつなぐ断面略Ｚ字形に折り曲げられた排水通路３２ｔとから構成されている。このように、脚部３０ｋの接地面３０ｚに排水穴３２が形成されているため、外ケース３０内に浸入して脚部３０ｋ内に溜った水を効果的に排水できるようになる。また、排水穴３２の排水通路３２ｔが断面略Ｚ字形に折り曲げられているため、外から埃等が排水穴３２から外ケース３０内に入り難くなる。
【００２３】
外ケース３０の上部に設けられた左右の張出し部３０ｓには、図１０に示すように、ハーネス１１のスタビライザーフック（図示省略）が掛けられる受け棒３６が設けられている。受け棒３６は、図１１に示すように、左右方向に延びる直線部３６ｙと、その直線部３６ｙの両端部で下方に約90°折り曲げられた後、さらにその先端が前方に約90°折り曲げられた屈曲部３６ｓとを備えている。そして、受け棒３６における左右の屈曲部３６ｓの先端が、図１０に示すように、それぞれ外ケース３０の外ケース本体部３５の内側に形成された円筒支持部３５ｔに嵌め込まれている。このため、仮に外ケース３０の張出し部３０ｓに衝撃等が加わっても、受け棒３６が前後左右、及び上下に動き難くなる。
【００２４】
外ケース３０の外ケース本体部３５の底板３５ｂ（装置本体部２０の前面側）は、図１に示すように、ハーネス１１の背面プレート部１４にネジ止め可能に構成されている。図６に示すように、外ケース本体部３５の底板３５ｂは、ハーネス１１の背面プレート部１４に対して周縁部分がネジ止めされるように構成されており、その周縁部分よりも内周側が背面プレート部１４に対して若干凹面形状となるように構成されている。外ケース本体部３５の底板３５ｂの凹面形状となる部分は薄肉化されている。そして、外ケース本体部３５の内側には、底板３５ｂの薄肉部分に補強用の格子状リブ３５ｒが形成されている。
【００２５】
また、外ケース本体部３５の内側には、図６に示すように、下端中央位置に漏斗状に形成された電線用開口３５ｊが形成されている。電線用開口３５ｊは、後記する内ケース４０の内ケース本体部４５から引き出された出力ケーブル２１が通される開口である。電線用開口３５ｊは、外ケース本体部３５の内側の開口が小径であり、図２２に示すように、外ケース本体部３５の外側の開口が拡開するように構成されている。電線用開口３５ｊの外側の開口は、図４、及び図２２に示すように、外ケース本体部３５の下部外側に形成された段差状凹部３５ｄの位置に設けられている。このため、電線用開口３５ｊを通って外ケース本体部３５の外部に引き出された出力ケーブル２１は、図４に示すように、外ケース本体部３５の段差状凹部３５ｄに収められ、邪魔にならなくなる。ここで、出力ケーブル２１の長さ寸法は、図３に示すように、外ケース本体部３５の電線用開口３５ｊからその外ケース本体部３５の周囲に沿って張出し部３０ｓを超える位置まで到達できる長さ寸法に設定されている。
【００２６】
＜装置本体部２０の内ケース４０について＞
内ケース４０は、図１２、図１３等に示すように、外ケース３０の内側で二組のセル接続回路５０（セルホルダ５４）及び保護回路６０と充電回路８０と制御マイコン７０等とを収納する防水性のケースである。内ケース４０は、周囲、及び底側に空間Ｓを設けた状態で外ケース３０に収納されるように構成されており、内ケース本体部４５と内ケース蓋４１とを備えている。内ケース本体部４５は、後方（図１２の紙面視上方）に向けて開放された角形の開放容器状に形成されている。内ケース蓋４１は、内ケース本体部４５に後方（図１２の上方）から合わせられる角形の開放容器状に形成されており、図１２に示すように、外ケース３０の外ケース蓋３１と天井部分を共通化した状態で、その外ケース蓋３１と一体成形されている。そして、内ケース本体部４５に対する内ケース蓋４１の合わせ位置には、図１４に示すように、周方向に連続して延びる突条４１ａが形成されている。また、内ケース蓋４１に対する内ケース本体部４５の合わせ位置には、内ケース蓋４１の突条４１ａが嵌合する溝部４５ａが周方向に連続して形成されている。そして、図１３に示すように、内ケース蓋４１が内ケース本体部４５に合わせられ、図１４に示すように、内ケース蓋４１の突条４１ａが内ケース本体部４５の溝部４５ａと嵌合することで、内ケース４０の防水性能が向上する。
【００２７】
内ケース蓋４１は、図１５に示すように、外ケース３０の外ケース蓋３１の張出し部３０ｓ、及び蓋側脚部３１ｋに対して中央寄りの位置に配置されている。そして、内ケース蓋４１の側壁４１ｗと外ケース蓋３１の側壁３１ｗとの間に空間Ｓが形成されている。上記したように、内ケース蓋４１は、外ケース３０の外ケース蓋３１の中央寄りの位置に配置されているため、内ケース蓋４１の側壁４１ｗと外ケース蓋３１の側壁３１ｗ間の空間Ｓは外ケース蓋３１の角部の内側、即ち、左右の張出し部３０ｓ、脚部３０ｋの内側で大きくなる。また、内ケース蓋４１の側壁４１ｗの高さ寸法は、図１２等に示すように、外ケース蓋３１の側壁３１ｗの高さ寸法よりも十分小さな値に設定されている。このため、内ケース蓋４１の合わせ位置に形成された突条４１ａは、外ケース蓋３１の合わせ位置３１ａに対して外ケース蓋３１の深さ方向内側に入り込んでいる。このため、図１３に示すように、内ケース蓋４１と内ケース本体部４５とが合わせられた状態で、内ケース４０の合わせ位置４１ａ，４５ａは外ケース３０の外ケース蓋３１の深さ方向内側に入り込むようになる。したがって、外ケース３０の合わせ位置３１ａ，３５ａから仮に水が浸入しても、その水が内ケース４０の合わせ位置４１ａ，４５ａに掛かり難くなる。
【００２８】
内ケース蓋４１の合わせ位置、即ち、突条４１ａの部分には、図１５に示すように、平面円筒形のネジ穴４１ｎが、例えば、１２個、周方向に等間隔で形成されている。そして、内ケース蓋４１の各々のネジ穴４１ｎに対して、図１７に示すように、内ケース本体部４５の合わせ位置、即ち、溝部４５ａの部分に設けられた各々のネジ４５ｎが（図６参照）ネジ止めされるように構成されている。そして、各々のネジ４５ｎがネジ穴４１ｎに対してネジ止めされた状態で、内ケース蓋４１の突条４１ａが内ケース本体部４５の溝部４５ａと嵌合して防水性の内ケース４０が構成される。また、この状態で、内ケース４０は、図１７に示すように、外ケース３０の外ケース蓋３１に固定される。
【００２９】
内ケース本体部４５は、図６、図１２等に示すように、角形の開放容器状に形成されたセル収納部４５０と、セル収納部４５０の開口周縁に形成された枠状部４５２とから構成されている。内ケース本体部４５の枠状部４５２は、図１２に示すように、横壁４５２ｙと縦壁４５２ｗとにより断面略Ｌ字形に形成されている。そして、内ケース本体部４５の枠状部４５２の縦壁４５２ｗには、その上端位置に内ケース蓋４１の突条４１ａが嵌合する溝部４５ａが形成されている。また、内ケース本体部４５の枠状部４５２の縦壁４５２ｗには、図６に示すように、前記ネジ４５ｎを溝部４５ａの所定位置に保持するネジ保持筒部４５２ｔが形成されている。
【００３０】
内ケース本体部４５の枠状部４５２の横壁４５２ｙは、図１２、及び図１７に示すように、その横壁４５２ｙの位置からセル収納部４５０の底板４５０ｂの方向に延びる支持筒部４５３によって支持されている。支持筒部４５３は、図１７に示すように、内ケース本体部４５の枠状部４５２の左側に等間隔で３本、右側に等間隔で３本設けられている。そして、支持筒部４５３は、その支持筒部４５３の外周面がリブ等によりセル収納部４５０の外壁面に固定されている。外ケース３０の外ケース本体部３５には、図１２、図１３に示すように、内ケース本体部４５の支持筒部４５３に対応する位置に６本の支柱部３５３が設けられている。６本の支柱部３５３は、外ケース本体部３５内で底板３５ｂに対して直角に立設されている。さらに、６本の支柱部３５３は、図６に示すように、外ケース本体部３５の角部、即ち、左右の張出し部３０ｓ、脚部３０ｋ以外の位置に設けられている。
【００３１】
内ケース本体部４５の支持筒部４５３が外ケース本体部３５の支柱部３５３に支持された状態で、図１３に示すように、内ケース本体部４５の側壁と外ケース本体部３５の側壁との間には空間Ｓが形成される。また、内ケース本体部４５の底板４５０ｂと外ケース本体部３５の底板３５ｂとの間にも空間が形成されるようになる。外ケース本体部３５の支柱部３５３内には、図１８に示すように、外ケース本体部３５の支柱部３５３を内ケース本体部４５の支持筒部４５３にネジ止めするためのネジ３５３ｎが収納されている。これにより、外ケース本体部３５の支柱部３５３を内ケース本体部４５の支持筒部４５３にネジ止めすることで、外ケース本体部３５を内ケース本体部４５に連結できる。即ち、外ケース本体部３５を内ケース本体部４５、内ケース蓋４１（内ケース４０）を介して外ケース蓋３１（外ケース３０）に連結できるようになる。また、外ケース３０の外ケース蓋３１と外ケース本体部３５とは、図１９に示すように、外ケース３０の角部、即ち、左右の張出し部３０ｓと脚部３０ｋとの位置において、連結筒部３１ｚ，３５ｚを利用して直接的にネジ止めされるように構成されている。
【００３２】
内ケース４０の内ケース本体部４５（セル収納部４５０）には、図１７に示すように、外ケース３０のスイッチ用開口３５ｓ，３１ｓとコネクタ用開口３５ｃ，３１ｃとに対応する位置にスイッチ用開口４５５とコネクタ用開口４５６とが形成されている。また、内ケース本体部４５のセル収納部４５０には、外ケース本体部３５の電線用開口３５ｊに対応する位置に電線用開口４５７が形成されている。
【００３３】
内ケース本体部４５（セル収納部４５０）のスイッチ用開口４５５は、図２０に示すように、メインスイッチ７２の本体軸部７２ｊが通される開口である。メインスイッチ７２は、図２に示すように、セル５２の放電、及び放電停止を行う防水スイッチであり、本体軸部７２ｊの先端側に大径のフランジ部７２ｆが設けられている。そして、フランジ部７２ｆの半径方向内側に、そのフランジ部７２ｆ、及び本体軸部７２ｊに対して相対移動可能に構成された操作部７２ｐが設けられている。メインスイッチ７２の本体軸部７２ｊには外周面に雄ネジが形成されており、その雄ネジに押さえナット７２ｎが螺合されるように構成されている。また、メインスイッチ７２の本体軸部７２ｊの周囲にはリング状のシール材（弾性体（図示省略））がセットされて、フランジ部７２ｆに重ねられている。このため、メインスイッチ７２の本体軸部７２ｊをセル収納部４５０のスイッチ用開口４５５に通し、本体軸部７２ｊの雄ネジに押さえナット７２ｎを螺合させることで、水密な状態でメインスイッチ７２をスイッチ用開口４５５に取付けることができる。そして、この状態で、メインスイッチ７２の操作部７２ｐを外ケース３０のスイッチ用開口３５ｓ，３１ｓの位置で操作できるようになる。
【００３４】
内ケース本体部４５のセル収納部４５０のコネクタ用開口４５６は、図２１に示すように、充電回路８０のコネクタ８２を通すための開口である。コネクタ８２は、防水性の蓋付コネクタであり、蓋部８２ｃと、コネクタ本体部８２ｘとから構成されている。コネクタ本体部８２ｘには、軸方向途中位置にリング状のフランジ部８２ｆが形成されており、そのフランジ部８２ｆより先端側がセル収納部４５０の内側からコネクタ用開口４５６に通されるようになっている。コネクタ用開口４５６から外部に突出したコネクタ本体部８２ｘの先端部分には外周面に雄ネジが形成されている。そして、コネクタ本体部８２ｘの先端部分にリング状のシール材（弾性体（図示省略））がセットされた後、雄ネジに押さえナット８２ｎが螺合されるようになっている。これにより、コネクタ８２（コネクタ本体部８２ｘ）を水密な状態でコネクタ用開口４５６に取付けることができる。なお、この状態で、コネクタ本体部８２ｘの先端部分は外ケース３０のコネクタ用開口３５ｃ，３１ｃから外部に突出するようになる。
【００３５】
内ケース本体部４５のセル収納部４５０の電線用開口４５７は、図２２に示すように、出力ケーブル２１を通すための開口である。電線用開口４５７には、その電線用開口４５７と出力ケーブル２１間をシールするための防水クランプ２５がセットされる。防水クランプ２５は、出力ケーブル２１が挿入された状態で電線用開口４５７に通される円筒状部材であり、外周面に雄ネジが形成された円筒部２５ｊと、円筒部２５ｊの一端に同軸に形成されたフランジ部２５ｆを備えている。そして、防水クランプ２５の円筒部２５ｊが出力ケーブル２１と共にセル収納部４５０の電線用開口４５７に通された状態で、円筒部２５ｊの雄ネジに押さえナット２５ｎが螺合される。そして、押さえナット２５ｎを締め付けることで防水クランプ２５のフランジ部２５ｆが電線用開口４５７の周縁に圧接されて、防水クランプ２５と電線用開口４５７間がシールされる。
【００３６】
＜内ケース本体部４５に対するセル接続回路５０等の収納について＞
図２３は、二組のセル接続回路５０をセル５２の配置に合わせて模式的に表した回路図である。ここで、一つのセル記号は並列に接続された３本のセル５２からなるセル集合体５２０を表している。前述のように、一組のセル接続回路５０は、並列に接続された３本のセル５２からなるセル集合体５２０を直列に１０セット接続することにより構成されている。そして、各々のセル５２の＋電極、−電極の電圧信号、即ち、No.１〜No.１１部分の電圧信号が保護回路６０の基板６２，６４に入力されるようになっている。一組のセル接続回路５０を構成するセル５２は、図２４、図２５に示すように、一つのセルホルダ５４に収納されている。セルホルダ５４は、左右両側が開放された筒枠状に形成されており、セルホルダ５４の左右寸法がセル５２の軸長寸法（＋、−電極間寸法）にほぼ等しい値に設定されている。
【００３７】
セルホルダ５４には、セル５２が前後方向（図２４等の紙面視上下方向）に３段積された状態で、その３段積されたセル集合体５２０が上下方向（長手方向）に１０列並べられた状態で収納されている。そして、セルホルダ５４の左右両側にリード板５５が設けられている。リード板５５は、各セル５２の＋電極、−電極の電圧信号を保護回路６０の基板６２，６４に入力するための導体製の平板である。リード板５５は、セル５２の＋電極、−電極に溶接されるリード板本体部５５ｅと、そのリード板本体部５５ｅから後方（図２４等の紙面視上方）に突出して本体基板６２、あるいは補助基板６４に接続されるターミナル部５５ｃとから構成されている。例えば、No.２〜No１０部分のリード板５５の場合、図２３、図２４等に示すように、３本のセル５２の＋電極と、別の３本のセル５２の−電極とが溶接により接続されるように構成されている。また、No.１部分のリード板５５の場合、図２３、図２５に示すように、３本のセル５２の＋電極が溶接により接続されるように構成されている。さらに、No.１１部分のリード板５５の場合、図２３、図２５に示すように、３本のセル５２の−電極が溶接により接続されるように構成されている。
【００３８】
セルホルダ５４にセル５２が収納され、No.１〜No.１１部分のリード板５５がそれぞれセル５２の＋電極、−電極に接続されると、図２４、図２５に示すように、セルホルダ５４の左右の開口部が側面蓋５７によって塞がれる。左右の側面蓋５７の表面には、所定位置に前後方向（図２４等の紙面視上下方向）に延びる複数本の突条５７ｒが設けられている。そして、二組のセルホルダ５４が、図２６に示すように、内ケース本体部４５のセル収納部４５０に収納される際に、左側のセルホルダ５４における右側の側面蓋５７の突条５７ｒと、右側のセルホルダ５４における左側の側面蓋５７の突条５７ｒとが嵌合するようになる。これにより、左右のセルホルダ５４が長手方向（上下方向）に相対移動不能となる。また、内ケース本体部４５のセル収納部４５０には、左右の内側壁に、図２８に示すように、各々のセルホルダ５４の側面蓋５７の突条５７ｒと嵌合できるように構成された縦リブ４５０ｒが形成されている。これにより、内ケース本体部４５のセル収納部４５０に収納された左右のセルホルダ５４はセル収納部４５０に対して長手方向（上下方向）、及び前後方向に相対移動不能となる。
【００３９】
内ケース本体部４５のセル収納部４５０に左右のセルホルダ５４が収納されると、図２３の配線模式図に示すように、左側のセルホルダ５４のNo.２、No.４、No.６、No.８、No.１０部分のリード板５５と、右側のセルホルダ５４のNo.２、No.４、No.６、No.８、No.１０部分のリード板５５とがセル収納部４５０の左右方向中央部に配置される。また、左側のセルホルダ５４のNo.１、No.３、No.５、No.７、No.９、No.１１部分のリード板５５がセル収納部４５０の左側に配置される。さらに、右側のセルホルダ５４のNo.１、No.３、No.５、No.７、No.９、No.１１部分のリード板５５がセル収納部４５０の右側に配置される。
【００４０】
そして、セル収納部４５０の中央部に配置された左右のNo.２、No.４、No.６、No.８、No.１０部分のリード板５５上には、図２６に示すように、保護回路６０の補助基板６４が配置される。補助基板６４は、中央部に配置されたリード板５５により導かれたセル５２の電圧信号、及びセル温度信号等を保護回路６０の本体基板６２に伝送するための基板である。補助基板６４は、図２６に示すように、帯板状に形成されており、左右のNo.２、No.４、No.６、No.８、No.１０のリード板５５の配置に合わせて幅寸法が設定されている。また、補助基板６４の表面中央には、本体基板６２の裏面中央に設けられた信号コネクタ６２ｚに接続される信号コネクタ６４ｚが設けられている。セル収納部４５０の左右端部に配置されたNo.１、No.３、No.５、No.７、No.９、No.１１部分のリード板５５上には、図２９、図３０に示すように、保護回路６０の本体基板６２が配置される。本体基板６２は、セル収納部４５０の平面サイズにほぼ等しいサイズで形成されている。
【００４１】
左右のセルホルダ５４には、図２４、図２５に示すように、各リード板５５のターミナル部５５ｃに対応する位置に柱状の基板支持部５４ｐが形成されている。セルホルダ５４の基板支持部５４ｐは、図２７に示すように、先端面５４ｓでリード板５５のターミナル部５５ｃと、本体基板６２、あるいは補助基板６４の裏面を支えられるように構成されている。ここで、補助基板６４を支える中央部のセルホルダ５４の基板支持部５４ｐは、本体基板６２を支える左右端のセルホルダ５４の基板支持部５４ｐよりも高さ寸法が一定寸法だけ小さく設定されている。また、セルホルダ５４の基板支持部５４ｐの内部には、前記基板６２，６４を固定するネジ６３が螺合されるナット５４ｎがインサートされている。さらに、本体基板６２、あるいは補助基板６４の裏面には、セルホルダ５４の基板支持部５４ｐに支えられる部分に回路の導体部分６２ｄ，６４ｄが設けられている。
【００４２】
このため、左右のセルホルダ５４のNo.２、No.４、No.６、No.８、No.１０部分のリード板５５上に補助基板６４をセットすると、図２７に示すように、それらのリード板５５のターミナル部５５ｃがセルホルダ５４の基板支持部５４ｐと補助基板６４との間に挟まれるようになる。この状態で、補助基板６４をセルホルダ５４の基板支持部５４ｐにネジ止めすることで、前記リード板５５のターミナル部５５ｃが補助基板６４の導体部分６４ｄに電気的に接続される。即ち、前記ネジ６３と、セルホルダ５４の基板支持部５４ｐにインサートされたナット５４ｎとが本発明の機械的な連結機構に相当する。
【００４３】
上記したように、補助基板６４を支える中央部のセルホルダ５４の基板支持部５４ｐは、本体基板６２を支える左右端のセルホルダ５４の基板支持部５４ｐよりも高さ寸法が一定寸法だけ小さく設定されている。このため、図３０に示すように、補助基板６４がセルホルダ５４にセットされた後で、その補助基板６４の外側から本体基板６２を補助基板６４と平行に左右のセルホルダ５４にセットできるようになる。ここで、補助基板６４の外側から本体基板６２をセットする際に、補助基板６４の信号コネクタ６４ｚに対して本体基板６２の信号コネクタ６２ｚが、図１２、図１３に示すように、接続される。即ち、信号コネクタ６２ｚ，６４ｚが本発明の補助基板と本体基板との接続部に相当する。
【００４４】
そして、左右のセルホルダ５４のNo.１、No.３、No.５、No.７、No.９、No.１１部分のリード板５５上に本体基板６２がセットされることで、図２７に示すように、それらのリード板５５のターミナル部５５ｃがセルホルダ５４の基板支持部５４ｐと本体基板６２との間に挟まれるようになる。この状態で、本体基板６２をセルホルダ５４の基板支持部５４ｐにネジ止めすることで、前記リード板５５のターミナル部５５ｃが本体基板６２の導体部分６２ｄと電気的に接続されるようになる。ここで、上記したように、セル収納部４５０の中央部に配置されたNo.２、No.４、No.６、No.８、No.１０部分のリード板５５の電圧信号は、補助基板６４を介して本体基板６２に伝送される。このため、本体基板６２の中央部にNo.２、No.４、No.６、No.８、No.１０部分のリード板５５の接続部を設ける必要がなくなる。これにより、本体基板６２の回路設計を簡単化できる。
【００４５】
本体基板６２には、図２に示すように、二組の保護回路６０が設けられており、さらに前記保護回路６０を制御するための制御マイコン７０が装着されている。また、本体基板６２には、図２９、図３０に示すように、残容量表示スイッチ７４とＬＥＤ表示部７６とが設けられている。残容量表示スイッチ７４とＬＥＤ表示部７６とは、本体基板６２の上部中央に設けられている。そして、図１５に示すように、内ケース４０の内ケース蓋４１（外ケース蓋３１）の天井部分には、残容量表示スイッチ７４に対応する位置に押ボタン７４ｈが設けられており、ＬＥＤ表示部７６のＬＥＤに対応する位置に残容量表示レンズ７６ｅが設けられている。押ボタン７４ｈと残容量表示レンズ７６ｅとは、図１６に示すように、可撓性を有する樹脂により一体成形されて、内ケース４０の内ケース蓋４１（外ケース蓋３１）の天井部分に設けられた開口部分に嵌め込まれている。また、本体基板６２の左右端には、図２９等に示すように、保護回路６０を構成する複数のＦＥＴ６２ｐが設けられている。そして、前記ＦＥＴ６２ｐを冷却する放熱板６２ｙが、図１２、図１３等に示すように、ＦＥＴ６２ｐの表面に接触した状態で空間を介して本体基板６２を覆うように設けられている。即ち、ＦＥＴ６２ｐは、本体基板６２と放熱板６２ｙとの間に挟み込まれている。
【００４６】
＜本実施形態に係る電源装置１０の長所について＞
本実施形態に係る電源装置１０によると、各々のセル５２の電極に接続されるリード板５５と本体基板６２、あるいは補助基板６４の導体部分６２ｄ，６４ｄとが機械的な連結機構、即ち、ネジ６３とナット５４ｎとにより電気的に接続されている。このように、セル５２の電極に接続されるリード板５５と本体基板６２、あるいは補助基板６４の導体部分６２ｄ，６４ｄとを直接的につなぐ構成であるため、リード板と基板の導体部分とを電線（リード線）でつなぐ場合のように配線が煩雑にならない。また、ハンダ付けが不要になるため、導体の接続部分の信頼性が高くなる。
【００４７】
ここで、本体基板６２の端縁と重なる位置にあるセル５２の電極は、リード板５５、及びネジ６３とナット５４ｎ（連結機構）により本体基板６２の端縁の導体部分６２ｄに接続されている。また、中央部の補助基板６４と重なる位置にあるセル５２の電極は、リード板５５、及びネジ６３とナット５４ｎ（連結機構）により補助基板６４の導体部分６４ｄに接続されている。このように、セル５２の電極とほぼ同位置にあるリード板５５をそのまま本体基板６２、あるいは補助基板６４に接続できるようになる。このため、リード板５５のサイズを必要最小限に設定できる。
【００４８】
また、本体基板６２には、その本体基板６２の端縁にのみリード板５５が接続されるようになるため、本体基板６２における端縁以外の部分はセル５２の電極の配置とは無関係に保護回路用として利用できるようになる。このため、仮に、本体基板６２の端縁以外の部分にリード板５５が接続される場合と比較して、本体基板６２の回路設計が簡単になる。また、左右のセルホルダ５４の合わせ位置上に補助基板６４が配置されるため、セル５２の電極が集中する部分に補助基板６４を配置できるようになり、補助基板６４のサイズを小型化できる。また、補助基板６４と本体基板６２との接続部は、信号コネクタ６２ｚ，６４ｚであるため、補助基板６４と本体基板６２との機械的な連結と電気的な接続とを兼用できる。
【００４９】
＜変更例＞
ここで、本発明は上記実施形態に限定されるものではなく、本発明の要旨を逸脱しない範囲における変更が可能である。例えば、実施形態では、本体基板６２の導体部分６２ｄ等とリード板５５とをネジ６３とセルホルダ５４の基板支持部５４ｐにインサートされたナット５４ｎとからなる連結機構により電気的に接続する例を示した。しかし、前記ネジ６３とナット５４ｎとからなる連結機構の代わりに、本体基板６２等をセルホルダ５４の基板支持部５４ｐに連結するクリップ等を利用して、本体基板６２の導体部分６２ｄ等とリード板５５とを電気的に接続することも可能である。また、本実施形態では、左右のセルホルダ５４の合わせ位置上に一枚の補助基板６４を配置する例を示した。しかし、各々のセルホルダ５４上にそれぞれ個別の補助基板を配置する構成でも可能である。さらに、本実施形態では、電動作業機の一例として電動ブロア３を例示したが、前記電動作業機には、電動ヘッジトリマ、電動刈り払い機、電動芝刈り機、電動チェーンソー、電動レシプロソー、電動グラインダのみならず、電動マルノコ、電動ドリル、電動ドライバ等の電動工具も含むものとする。
【符号の説明】
【００５０】
３・・・・・・電動ブロア（電動作業機）
１０・・・・・電源装置
５２・・・・・セル
５４・・・・・セルホルダ
５４ｐ・・・・基板支持部
５４ｎ・・・・ナット（機械的な連結機構）
６３・・・・・ネジ（機械的な連結機構）
５５ｃ・・・・ターミナル部
５５・・・・・リード板
５５ｅ・・・・リード板本体部
６０・・・・・保護回路
６２・・・・・本体基板
６２ｄ・・・・導体部分
６２ｚ・・・・信号コネクタ（接続部）
６４・・・・・補助基板
６４ｄ・・・・導体部分
６４ｚ・・・・信号コネクタ（接続部）
【図１】
2016018603.tif 000003
【図２】
2016018603.tif 000004
【図３】
2016018603.tif 000005
【図４】
2016018603.tif 000006
【図５】
2016018603.tif 000007
【図６】
2016018603.tif 000008
【図７】
2016018603.tif 000009
【図８】
2016018603.tif 000010
【図９】
2016018603.tif 000011
【図１０】
2016018603.tif 000012
【図１１】
2016018603.tif 000013
【図１２】
2016018603.tif 000014
【図１３】
2016018603.tif 000015
【図１４】
2016018603.tif 000016
【図１５】
2016018603.tif 000017
【図１６】
2016018603.tif 000018
【図１７】
2016018603.tif 000019
【図１８】
2016018603.tif 000020
【図１９】
2016018603.tif 000021
【図２０】
2016018603.tif 000022
【図２１】
2016018603.tif 000023
【図２２】
2016018603.tif 000024
【図２３】
2016018603.tif 000025
【図２４】
2016018603.tif 000026
【図２５】
2016018603.tif 000027
【図２６】
2016018603.tif 000028
【図２７】
2016018603.tif 000029
【図２８】
2016018603.tif 000030
【図２９】
2016018603.tif 000031
【図３０】
2016018603.tif 000032
【図３１】
2016018603.tif 000033